(57)【要約】【課題】電子デバイス、方法、及び対応するプログラム製品を提供する。【解決手段】本発明は、撮像対象（１７）から画像データ（ＤＡＴＡ１）を形成するための少なくとも１つのカメラ要素（ＣＡＭ１）を含むカメラ手段（１２）と、カメラ手段（１２）に接続して配置されて設定焦点距離に従う第１のレンズ構成（Ｆ１）と、例えば撮像対象（１７）のズーミング処理を含む画像データ（ＤＡＴＡ１）を画像情報（ＩＭＡＧＥ）に処理するための手段（１１）とを含む電子デバイス（１０）に関する。上述のカメラ手段（１２）は、第２のレンズ構成（Ｆ２）を備えた少なくとも第２のカメラ要素（ＣＡＭ２）を更に含み、その焦点距離は、確立された方式で上述の第１のレンズ構成（Ｆ１）の焦点距離とは異なっており、第１及び第２のカメラ要素（ＣＡＭ１、ＣＡＭ２）によって形成された画像データの組（ＤＡＴＡ１、ＤＡＴＡ２）から、撮像対象（１７）の望ましいズーミングによる画像情報（ＩＭＡＧＥ）が、データ処理手段（１１）を使用することによって処理されるように準備される。更に、本発明はまた、方法及びプログラム製品に関する。【選択図】図１
2008508828.tif 000002
【特許請求の範囲】
【請求項１】
撮像対象（１７）から画像データ（ＤＡＴＡ１）形成するための少なくとも１つのカメラ要素（ＣＡＭ１）を含むカメラ手段（１２）と、
前記カメラ手段（１２）に接続して配置された設定焦点距離に従う第１のレンズ構成（Ｆ１）と、
例えば前記撮像対象（１７）のズーミング処理を含む、前記画像データ（ＤＡＴＡ１）を画像情報（ＩＭＡＧＥ）に処理するための手段（１１）と、
を含む電子デバイス（１０）であって、
カメラ手段（１２）が、第２のレンズ構成（Ｆ２）を備えた少なくとも第２のカメラ要素（ＣＡＭ２）を更に含み、その焦点距離が、確立された方式で第１のレンズ構成（Ｆ１）の焦点距離とは異なり、第１及び第２のカメラ要素（ＣＡＭ１、ＣＡＭ２）によって形成された画像データの組（ＤＡＴＡ１、ＤＡＴＡ２）から、撮像対象（１７）の望ましいズーミングによる画像情報（ＩＭＡＧＥ）が、データ処理手段（１１）を使用することによって処理されるように準備される、
ことを特徴とするデバイス。
【請求項２】
前記データ処理手段（１１）は、前記望ましいズーミングによる前記画像情報（ＩＭＡＧＥ）を形成するために、前記画像データの組（ＤＡＴＡ１、ＤＡＴＡ２）によって形成された画像区域を結合するように配置されていることを特徴とする請求項１に記載の電子デバイス（１０）。
【請求項３】
前記データ処理手段（１１）は、前記望ましいズーミングによる画像情報（ＩＭＡＧＥ）を形成するために、前記画像データの組（ＤＡＴＡ１、ＤＡＴＡ２）に含まれたピクセル情報を結合するように配置されていることを特徴とする請求項１又は請求項２に記載の電子デバイス（１０）。
【請求項４】
前記第１のレンズ構成（Ｆ１）の焦点距離係数は、例えば、０、１−３、好ましくは、例えば１のような１−３であり、
前記第２のレンズ構成（Ｆ２）の焦点距離係数は、例えば、１−１０、好ましくは、例えば３のような２−５である、
ことを特徴とする請求項１から請求項３のいずれか１項に記載の電子デバイス（１０）。
【請求項５】
少なくとも前記第２のレンズ構成（Ｆ２）の前記焦点距離係数は、固定されていることを特徴とする請求項１から請求項４のいずれか１項に記載の電子デバイス（１０）。
【請求項６】
前記データ処理手段（１１）は、少なくとも第２の組の画像データ（ＤＡＴＡ２）に対して、例えば、サイズを調節すること、退色オペレーション、及び／又は、明るさ及び／又は色調の調節のような設定処理オペレーションを実行するために配置されていることを特徴とする請求項１から請求項５のいずれか１項に記載の電子デバイス（１０）。
【請求項７】
前記データ処理手段（１１）は、少なくとも第２の組の画像データ（ＤＡＴＡ２）に対して歪み補正を行うために配置されていることを特徴とする請求項１から請求項６のいずれか１項に記載の電子デバイス（１０）。
【請求項８】
設定焦点距離を有する第１のレンズ構成（Ｆ１）を備えた少なくとも１つのカメラ要素（ＣＡＭ１）を含むカメラ手段（１２）を使用して、撮像対象（１７）の画像データ（ＤＡＴＡ１）を形成するために撮像を実行し（段階２０１．１）、
前記形成された画像データ（ＤＡＴＡ１）が、例えば、前記撮像対象（１７）をズーミングするために処理される（段階２０２．１、２０３．１）、
画像データ（ＤＡＴＡ１、ＤＡＴＡ２）から画像情報（ＩＭＡＧＥ）を形成する方法であって、
撮像が、更に少なくとも第２のカメラ要素（ＣＡＭ２）を使用して行われ、それに接続したレンズ構成（Ｆ２）の焦点距離は、第１のレンズ構成（Ｆ１）の焦点距離とは設定された方式で異なっており（段階２０１．１）、望ましいズーミングによる画像情報（ＩＭＡＧＥ）が、第１及び第２のカメラ要素（ＣＡＭ１、ＣＡＭ２）を使用して形成された画像データの組（ＤＡＴＡ１、ＤＡＴＡ２）から処理される（段階２０５）、
ことを特徴とする方法。
【請求項９】
前記画像データの組（ＤＡＴＡ１、ＤＡＴＡ２）は、互いに結合される（段階２０５）ことを特徴とする請求項８に記載の方法。
【請求項１０】
前記画像データの組（ＤＡＴＡ１、ＤＡＴＡ２）によって形成された画像区域は、互いに結合されて前記望ましいズーミングによる画像情報（ＩＭＡＧＥ）を形成することを特徴とする請求項８又は請求項９に記載の方法。
【請求項１１】
前記画像データの組（ＤＡＴＡ１、ＤＡＴＡ２）に含まれたピクセル情報は、結合されて前記望ましいズーミングによる画像情報（ＩＭＡＧＥ）を形成することを特徴とする請求項８から請求項１０のいずれか１項に記載の方法。
【請求項１２】
前記撮像は、レンズ構成（Ｆ１、Ｆ２）を通して実行され、このレンズ構成の一方（Ｆ１）の焦点距離係数は、例えば、０、１−５、好ましくは、例えば１のような１−３であり、このレンズ構成の他方（Ｆ２）の焦点距離係数は、例えば、１−１０、好ましくは、例えば３のような２−５であることを特徴とする請求項８から請求項１１のいずれか１項に記載の方法。
【請求項１３】
退色オペレーションが、少なくとも第２の組の画像データ（ＤＡＴＡ２）に対して行われる（段階２０５）ことを特徴とする請求項８から請求項１２のいずれか１項に記載の方法。
【請求項１４】
明るさ及び／又は色調調節が、少なくとも第２の組の画像データ（ＤＡＴＡ２）に対して行われる（段階２０５）ことを特徴とする請求項８から請求項１３のいずれか１項に記載の方法。
【請求項１５】
歪み補正が、少なくとも第２の組の画像データ（ＤＡＴＡ２）に対して行われる（段階２０２．２）ことを特徴とする請求項８から請求項１４のいずれか１項に記載の方法。
【請求項１６】
記憶媒体（ＭＥＭ、１１）と、少なくとも１つのカメラ要素（ＣＡＭ１）を使用して生成された画像データ（ＤＡＴＡ１、ＤＡＴＡ２）を処理するための該記憶媒体（ＭＥＭ、１１）上に書き込まれたプログラムコードとを含み、該画像データ（ＤＡＴＡ１、ＤＡＴＡ２）が、画像情報（ＩＭＡＧＥ）を形成するために処理されるように準備されており、該処理が、例えば撮像対象（１７）のズーミングを含む、画像データ（ＤＡＴＡ１、ＤＡＴＡ２）を処理するためのプログラム製品（３０）であって、
プログラムコードが、異なる焦点距離を有する２つのカメラ要素（ＣＡＭ１、ＣＡＭ２）を使用して形成された２組の画像データ（ＤＡＴＡ１、ＤＡＴＡ２）を設定された方式で互いに結合するように構成された第１のコード手段（３０．１）を含む、
ことを特徴とする製品。
【請求項１７】
前記プログラムコードは、前記画像データの組（ＤＡＴＡ１、ＤＡＴＡ２）によって形成された画像区域を結合して前記望ましいズーミングによる画像情報（ＩＭＡＧＥ）を形成するように構成されたコード手段（３０．１’、３０．２）を含むことを特徴とする請求項１６に記載のプログラム製品（３０）。
【請求項１８】
前記プログラムコードは、前記画像データの組（ＤＡＴＡ１、ＤＡＴＡ２）に含まれたピクセル情報を結合して前記望ましいズーミングによる画像情報（ＩＭＡＧＥ）を形成するように構成されたコード手段（３０．１’’、３０．２）を含むことを特徴とする請求項１６に記載のプログラム製品（３０）。
【請求項１９】
前記プログラム製品（３０）は、少なくとも第２の組の画像データ（ＤＡＴＡ２）をその画像区域の少なくとも一部でそれを強めるために処理するように構成された第２のコード手段（３０．３）を更に含み、該処理は、例えば、退色処理、及び／又は、明るさ及び／又は色調の調節を含むことを特徴とする請求項１６から請求項１８のいずれか１項に記載のプログラム製品（３０）。
【請求項２０】
前記プログラム製品（３０）は、歪みを補正するために少なくとも第２の組の画像データ（ＤＡＴＡ２）を処理するように構成された第３のコード手段（３０．３）を更に含むことを特徴とする請求項１６から請求項１９のいずれか１項に記載のプログラム製品（３０）。
【請求項２１】
少なくとも１つの画像センサ（１２．１）を含み、それによって画像データ（ＤＡＴＡ１）が撮像対象（１７）から形成されるように準備されるカメラ要素（ＣＡＭ１）であって、
カメラ要素（ＣＡＭ１）が、請求項１から請求項７のいずれか１項に記載の電子デバイス（１０）において、又は請求項８から請求項１５のいずれか１項に記載の方法の下位段階（２０１−２０５）において使用されるように配置されている、
ことを特徴とするカメラ要素。
【発明の詳細な説明】
【技術分野】
【０００１】
本発明は、撮像対象から画像データを形成するための少なくとも１つのカメラ要素を含むカメラ手段と、カメラ手段に接続して配置されて設定焦点距離に従う第１のレンズ構成と、例えば撮像対象のズーミング処理を含む画像データを画像情報に処理するための手段とを含む電子デバイスに関する。
更に、本発明はまた、方法及び対応するプログラム製品に関する。
【背景技術】
【０００２】
単一のカメラ要素は、いくつかの現在の電子デバイスから公知であり、１つの個別の例は、カメラ電話である。これに関連したレンズの組は、例えばどのような種類のズームの可能性もなく本質的に固定されるように配置されている。
デジタルズーミングは、現在、電子デバイスのいくつかの公知のタイプで使用されている。しかし、これは、ある一定の公知の欠陥を有する。これらの欠陥は、例えば、画像の鮮明度に関するものである。デジタルズーミングが画像に行われる場合、画像データのピクセル網は、密度が低くなる。この結果、例えば付加的なピクセルがデータに作成される画像データの補間が必要になる。これは、ズーム画像の不正確さを招くことになる。
【０００３】
カメラ手段を備えた正確には移動局のような現在の電子デバイスは、かなり薄いことによって特徴付けられることが公知である。このような本質的に薄いデバイスにおけるレンズの組に軸線方向移動機能性を配置することは困難である。これは、デバイスの厚みを増すことなしには実際的に不可能である。更に、このようなデバイスに光学的に実装されたズーミング機能性を付加することは、一般的にその機械的な複雑さを増すことになる。更に、センサ及びそのレンズの組はまた、様々な方法で画像を簡単に歪める可能性がある。
【発明の開示】
【０００４】
本発明は、カメラ手段を備えた新しいタイプの電子デバイス、並びに電子デバイスにおいて画像情報を形成する方法を作成することを意図しており、それによって従来の単一センサ実装を用いるものよりも実質的により正確な画像情報を生成することができることになる。本発明による電子デバイスの特徴的な機能は、特許請求の範囲の請求項１に説明されており、一方、これに適用される方法の特徴的な機能は、請求項８に説明されている。更に、本発明はまた、プログラム製品に関し、その特徴的な機能は、特許請求の範囲の請求項１６に説明されている。
【０００５】
本発明による電子デバイスは、撮像対象から画像データを形成するための少なくとも１つのカメラ要素を含むカメラ手段と、カメラ手段に接続して配置されて設定焦点距離に従う第１のレンズ構成と、例えば撮像対象のズーミング処理を含む画像データを画像情報に処理するための手段とを含む。デバイスのカメラ手段は、第２のレンズ構成を備えた少なくとも第２のカメラ要素を更に含み、その焦点距離は、確立された方式で上述の第１のレンズ構成の焦点距離とは異なっている。デバイスの第１及び第２のカメラ要素によって形成された画像データの組から、撮像対象の望ましいズーミングによる画像情報が、データ処理手段を使用することによって処理されるように準備される。
【０００６】
更に、本発明による方法では、カメラ手段を使用して、撮像対象の画像データを形成するために撮像が実行され、カメラ手段は、設定焦点距離を有する第１のレンズ構成を備えた少なくとも１つのカメラ要素を含み、形成された画像データは、例えば、撮像対象をズーミングするために処理される。この方法では、撮像は、更に少なくとも第２のカメラ要素を使用して行われ、それに接続したレンズ構成の焦点距離は、上述の第１のレンズ構成の焦点距離とは設定された方式で異なっており、望ましいズーミングによる画像情報は、第１及び第２のカメラ要素を使用して形成された画像データの組から処理される。
【０００７】
更に、画像データを処理するための、従って本発明が同じく関連する本発明によるプログラム製品は、記憶媒体と、少なくとも１つのカメラ要素を使用して形成された画像データを処理するために記憶媒体に書き込まれたプログラムコードとを含み、画像データは、画像情報まで処理されるように準備されており、この処理は、例えば、撮像対象のズーミングを含む。プログラムコードは、設定された方式で２組の画像データを互いに結合させるように構成された第１のコード手段を含み、画像データの組は、異なる焦点距離を有する２つのカメラ要素を使用して形成される。
更に、本発明はまた、本発明によるデバイスにおける又は本発明による方法の何らかの下位段階と関係したカメラ要素の使用に関する。
【０００８】
本発明によるデバイスのデータ処理手段を使用して、画像データは、いくつかの異なる方法で結合することができる。第１の実施形態によると、画像データから形成された画像領域は、望ましいズーミングによる画像情報を形成するために互いに貼り付けることができる。第２の実施形態によると、画像データの組のピクセル情報は、望ましいズーミングによる画像情報を形成するために、計算によって互いに少なくとも部分的に適合させることができる。
驚くべき方式で、本発明は、電子デバイスにおけるズーム機能の作成を可能にする。本発明により、レンズ構成に作用する移動オペレーションを全く必要とせずにズーム機能を作成することができる。
【０００９】
本発明の使用は、従来技術よりも有意な利点を達成する。本発明により、ズーム機能もまた、例えばサイズ因子がズーム機能の実装を以前は妨げていたカメラ手段を備えた小さな電子デバイスに配置することができる。本発明による構成により、ズーミングされた、すなわち、トリミング及び拡大された画像情報の鮮明度又は品質は、例えば光学ズーミングを使用して生成された画像情報よりも実際的に劣ることはない。しかし、本発明により達成された鮮明度は、従来技術によるデジタルズーミングにおけるものよりも良好な少なくとも部分的に画像区域のものである。
【００１０】
更に、本発明に適用される画像データ処理オペレーションの使用は、画像データの滑らかで継ぎ目のない接合を達成する。これは、デバイスのカメラ手段が品質において異なる場合に特に重要である。また、様々な種類の歪みの補正が可能である。
本発明による電子デバイス、方法、及びプログラム製品に特徴的な他の機能は、特許請求の範囲から以下で明らかになり、一方、達成される付加的な利点は、説明部分に列挙する。
以下では、以下に開示する実施形態に制限されない本発明を添付図面を参照して更に詳細に説明する。
【発明を実施するための最良の形態】
【００１１】
今日では、多くの電子デバイス１０がカメラ手段１２を含む。デジタルカメラの他に、このようなデバイスの例には、移動局、ＰＤＡ（携帯情報端末）デバイス、及び類似の「スマートコミュニケータ」が含まれる。この関係で、「電子デバイス」という概念は、非常に広範囲に理解することができる。例えば、それは、装備されたデバイス又はデジタル撮像機能を備えることができるデバイスとすることができる。以下には、例示的に移動局１０との関連で本発明を説明する。
【００１２】
図１は、本発明に関する限りのデバイス１０の機能の概略的な例を示している。デバイス１０は、それ自体が公知として図１に示されている機能的な構成要素を含むことができる。これらの中で、本発明によるデバイス１０の実装の点で必須の構成要素としてカメラ手段１２とそれに関連したデータ処理手段１１に言及し、これらによってプログラム製品３０は、カメラ手段１２によって形成された画像データＤＡＴＡ１、ＤＡＴＡ２を処理するためにＨＷ又はＳＷレベルのいずれかで実施される。
【００１３】
本発明による場合では、一般的な用語「カメラ手段」１２は、少なくとも２つのカメラ要素ＣＡＭ１、ＣＡＭ２を示し、一般的にデジタル撮像を行う場合にカメラモジュールに関するこれらの技術の全てを一般的に示している。カメラ手段１２は、デバイス１０に永久に接続することができ、又はこれらをデバイス１０に取外し可能に取り付けることもできる。
本発明による解決法において、カメラ手段１２は、少なくとも２つのカメラ要素ＣＡＭ１、ＣＡＭ２を含む。カメラＣＡＭ１、ＣＡＭ２は、例えば、デバイス１０に対して主に同じ撮像方向に向けられる。両方のカメラ要素ＣＡＭ１、ＣＡＭ２は、次に、互いに物理的に離れているその固有の独立した画像センサ１２．１、１２．２を含むことができる。他方、両方のカメラユニットＣＡＭ１、ＣＡＭ２が本質的に同じモジュラーカメラ構成要素であるが、同時に依然として本質的に２つのカメラ要素ＣＡＭ１、ＣＡＭ２を形成している構成も可能であろう。
【００１４】
カメラ要素ＣＡＭ１、ＣＡＭ２、又は特にこれらに属する画像センサ１２．１、１２．２は同一であり、主に共通の露出方向に向ってその同じ側のデバイス１０に配置することができる。デバイス１０がその基本的な位置に固定されている場合（例えば、移動局１０の場合で垂直）、センサ１２．１、１２．２は、更に、同じ水平レベルに置くことができ、従って、互いに隣接することになる。
更に、デバイス１０は、公知のタイプ又は依然として開発中であるもののいずれかであるディスプレイ１９を含むことができ、それによって情報をデバイス１０のユーザに視覚化することができる。しかし、ディスプレイ１９は、本発明の点からは必須ではない。しかし、デバイス１０のディスプレイ１９は、例えば、撮像の前にビューファインダーとして働くディスプレイ１９上で撮像対象１７を調べることができるという利点を達成することになる。ディスプレイのない構成の実施例として、監視カメラを参照することができ、これに本発明を応用することができる。更に、デバイス１０は、デバイス１０の様々なオペレーション１４を制御するための機能を含むプロセッサ機能１３を含む。
【００１５】
カメラ手段１２及びデータ転送インタフェースとしてカメラ手段に接続して配置されるデータ処理手段、例えば画像処理チェーン１１は、それ自体公知であってプログラムモジュールのものである構成要素（ＣＣＤ、ＣＭＯＳ）から形成することができる。これらは、静止及び恐らくは同じく動画画像データＤＡＴＡ１、ＤＡＴＡ２を取り込んで処理するために使用することができ、更に、それらから望ましい種類の画像情報ＩＭＡＧＥ１、ＩＭＡＧＥ２、ＩＭＡＧＥを形成することができる。画像データＤＡＴＡ１、ＤＡＴＡ２の望ましい種類の画像情報ＩＭＡＧＥへの処理は、公知の処理機能だけでなく、本発明により、例えば、必要に応じて撮像対象１７のトリミング及びトリミングされた画像区域の望ましい画像サイズへの拡大もまた含むことができる。これらのオペレーションは、総称してズーミングという名称で呼ぶことができる。
【００１６】
ズーミングは、プログラム３０を使用して実行することができる。プログラム３０又はプログラムを形成しているコードは、デバイス１０の記憶媒体ＭＥＭ、例えば、更新可能な不揮発性半導体メモリ上に書き込むことができ、又は反対に、それは、ＨＷ実装として回路１１に直接焼き付けることもできる。コードは、設定シーケンスで実行される指令の群から成り、それによって選択された処理アルゴリズムに従うデータ処理が達成される。この場合、以下に更に詳しく説明するように、データ処理は、データＤＡＴＡ１、ＤＡＴＡ２から画像情報ＩＭＡＧＥを形成するための設定された方式のデータＤＡＴＡ１、ＤＡＴＡ２の組の結合であると主として理解することができる。
【００１７】
画像情報ＩＭＡＧＥは、例えば、デバイス１０の可能なディスプレイ１９を使用して調べることができる。画像データはまた、デバイス１０のメモリ媒体に選択された記憶フォーマットで記憶することができ、又はデバイス１０に通信特性が備えられている場合には、例えば、データ転送ネットワークを通じて別のデバイスに送信することができる。画像データＤＡＴＡ１、ＤＡＴＡ２の処理を実行する撮像チェーン１１は、現在選択されている撮像モード又は撮像パラメータ設定に従って、カメラ手段１２による撮像方向からの撮像対象１７で形成された画像データＤＡＴＡ１、ＤＡＴＡ２を設定された方式で処理するために使用される。その設定を行うために、デバイス１０は、選択／設定手段１５を含む。
【００１８】
本発明によるデバイス１０では、カメラユニットＣＡＭ１、ＣＡＭ２は、撮像を行う場合に主として同時に作動する。第１の実施形態によると、これは、本質的に時間の同じ瞬間にトリガされる撮像瞬間を意味する。第２の実施形態によると、撮像瞬間の時間の僅かな差でさえも、例えば、撮像される対象によってこれが許可されるという条件で許すことができる。この場合、例えば、このような強力なデータ処理機能は、例えば両方の画像センサ１２．１、１２．２を正確に同時に使用して撮像が行われる状況に比べて、デバイス１０の撮像チェーン１１に必要とされない。
【００１９】
設定焦点距離を有するレンズ構成Ｆ１、Ｆ２は、カメラ手段１２又は特にカメラ要素ＣＡＭ１、ＣＡＭ２に関連して配置される。レンズ構成Ｆ１、Ｆ２は、例えば、公知の方式でセンサと関係するものにすることができる。レンズの組Ｆ１、Ｆ２の焦点距離、すなわち、より具体的にはそれらのズーム係数は、設定された方式でそれらが互いに異なるように配置される。レンズ構成の少なくとも１つＦ１の焦点距離係数は、固定することができる。これによって、様々な拡大トリミング、すなわち、ズーム設定を使用して、撮像対象１７から撮像データを形成することができる。
【００２０】
第１の実施形態によると、第１のカメラ要素１２．１に関連した第１のレンズ構成Ｆ１の焦点距離係数は、例えば、範囲（０、１）０、５−５、好ましくは１−３、例えば１とすることができる。それに応じて、第２のカメラ要素１２．２に関連した第２のレンズ構成Ｆ２の焦点距離係数は、第１のレンズ構成Ｆ１の焦点距離、すなわち、そのズーム係数とは設定された方式で異なっている。一実施形態によると、これは、例えば範囲１−１０、好ましくは３−６、例えば３とすることができる。
【００２１】
上記に基づいて、第２のカメラ要素１２．２によって撮像対象１７から形成された画像情報ＩＭＧＥ２の拡大は、第１のカメラ要素１２．１によって形成された画像情報ＩＭＧＥ１のほぼ３倍である（図３に概略で示す）。
しかし、両方のセンサ１２．１、１２．２、及び従ってこれら両方によって形成される画像情報ＩＭＧＥ１、ＩＭＧＥ２の解像度も、両方とも等しい大きさにすることができ、かつそうなるべきである。これは、第２のカメラ要素１２．２によって形成された画像情報ＩＭＧＥ２には、センサ１２．２に露出された撮像対象１７が僅か１／３しかなく、これらの解像度が、それにも関わらず本質的にほぼ同じであることを意味する。
【００２２】
本発明によるデバイス１０では、ズームの望ましい量を有する画像情報ＩＭＧＥは、第１及び第２のカメラ要素ＣＡＭ１、ＣＡＭ２によって撮像対象１７から形成された画像データＤＡＴＡ１、ＤＡＴＡ２から処理される。この処理は、デバイス１０のデータ処理手段１１を使用して、又はより具体的にはデバイス１０で実行されるプログラム３０によって実行することができる。
データ処理手段１１を使用して、異なる焦点距離を有する２つのカメラ要素１２．１、１２．２によって形成された画像データＤＡＴＡ１、ＤＡＴＡ２の組は、望ましいトリミング及び拡大の画像情報ＩＭＡＧＥとして結合することができる。この場合、本発明によるプログラムコードは、画像データＤＡＴＡ１、ＤＡＴＡ２のこれらの２組を設定された方式で互いに結合するように構成された第１のコード手段３０．１を含む。この場合、画像データＤＡＴＡ１、ＤＡＴＡ２の組の組合せは、非常に広範囲であると理解することができる。
【００２３】
第１の実施形態によると、データ処理手段１１は、望ましいズーム係数まで互いの上に収束させるために、両方のカメラ要素１２．１、１２．２によって形成された画像データＤＡＴＡ１、ＤＡＴＡ２を適合させることができる。この場合、プログラム製品３０のプログラムコードは、画像データＤＡＴＡ１、ＤＡＴＡ’’に含まれるピクセル情報を望ましいトリミングを備えた画像情報ＩＭＡＧＥに結合させるように構成されたコード手段３０．１’’を含む。
【００２４】
画像データＤＡＴＡ１、ＤＡＴＡ２に含まれるピクセル情報は、次に、望ましいトリミング及び拡大を備えた画像情報ＩＭＡＧＥとして互いに結合される。互いに異なる焦点距離のために、画像情報の一部は、１つのカメラ要素ＣＡＭ１によって形成された画像データだけから構成され、一部は、両方のカメラ要素ＣＡＭ１、ＣＡＭ２によって形成された画像データから構成される。両方のカメラ要素ＣＡＭ１、ＣＡＭ２によって形成されたこの画像データＤＡＴＡ１、ＤＡＴＡ２は、デバイス１０でプログラム手段によって互いに結合される。
【００２５】
第２の実施形態によると、データ処理手段１１は、両方のカメラ要素ＣＡＭ１、ＣＡＭ２によって形成された画像データＤＡＴＡ１、ＤＡＴＡ２の組に互いにカットのような方式で適合させることができる。画像データＤＡＴＡ１、ＤＡＴＡ２によって形成された画像領域は、次に、望ましいトリミング及び拡大の画像情報ＩＭＡＧＥを形成するために、プログラム製品のコード手段３０．１’によって互いに貼り付けられる。
【００２６】
ここで、現在のズーミング状況に応じて、画像情報ＩＭＡＧＥの一部は、第１のカメラ要素ＣＡＭ１によって形成された画像データＤＡＴＡ１だけから構成することができる。これは、画像情報のこの部分が第２のカメラ要素ＣＡＭ２の画像データＤＡＴＡ２から使用可能でないためであり、その露出区域は、それに対する焦点距離係数の組のために第１のカメラ要素ＣＡＭ１によって検出された画像区域を覆わない。画像情報ＩＭＡＧＥを形成するのに必要な画像データの最終的な部分は、第２のカメラ要素ＣＡＭ２によって形成された画像データＤＡＴＡ２から得られる。従って、両方のカメラ要素ＣＡＭ１、ＣＡＭ２によって形成された画像データＤＡＴＡ１、ＤＡＴＡ２は、同じ画像位置にこれらを「まき散らす」ことによって互いに結合させる必要はなく、その代わり、ある一定の方法、例えばジグソーパズルを組み立てることに似た手順の問題になる。
【００２７】
更に、一実施形態によると、データ処理手段１１はまた、画像データＤＡＴＡ１、ＤＡＴＡ２の組を互いに滑らかに結合するために、設定処理オペレーションを実行することができる。この場合、プログラム製品３０はまた、プログラムコードとして、画質改善のために画像データの組の少なくとも１つＤＡＴＡ２を処理するように構成されたコード手段３０．３を含む。このオペレーションは、少なくとも画像データの第２組ＤＡＴＡ２で行うことができる。更に、オペレーションは、形成される画像情報ＩＭＡＧＥの一部を形成する画像データの組ＤＡＴＡ２のデータの少なくとも一部に向けられる。
【００２８】
実行することができるオペレーションのいくつかの例は、様々な退色オペレーションを含む。更に、互いを適合させ、互いに対して画像データＤＡＴＡ１、ＤＡＴＡ２の明るさ及び／又は色調を調節するオペレーションが、勿論他の処理オペレーションを除外することなく可能である。色調／明るさ調節は、例えば、カメラ要素１２．１、１２．２の品質又はレンズＦ１、Ｆ２の組の品質が互いに異なるという状況、従って、画像データＤＡＴＡ１、ＤＡＴＡ２の組の滑らかな結合を妨げることになる状況で要求することができる。
更に、様々な歪み補正も可能である。歪みの例は、形状及び遠近の歪みを含む。これらの一例は、例えば、パノラマレンズでのいわゆる魚眼効果外観の除去である。歪み除去は、少なくとも１つの画像ＩＭＡＧＥ２で更にその画像区域の少なくとも一部で行うことができる。
【００２９】
以下は、応用の１つの個別の実施例として図２の流れ図を参照する本発明による方法の説明である。図３を参照すると、本発明の方法に従う画像データの組ＤＡＴＡ１、ＤＡＴＡ２からのデバイス１０での画像情報ＩＭＡＧＥの形成を示している。図３に示されている画像ＩＭＡＧＥ１、ＩＭＡＧＥ２、ＩＭＡＧＥの実際のズーム比（１：３：２）は、必ずしも一定の縮尺ではないが、図式のレベルで本発明を例証することだけを目的とする点に注意すべきである。
【００３０】
撮像を行うために、デバイスのカメラ手段１２は、撮像対象１７に向けられている。この実施例では、撮像対象は、図３に示されている移動局１７である。
撮像対象１７が両方のカメラ要素１２．１、１２．２の照射野にある状態で、単一のカメラセンサ１２．１によって撮像対象１７から生成された画像データＤＡＴＡ１は、デバイス１０のビューファインダーディスプレイ／アイファインダー１９上に示されている画像情報ＩＭＡＧＥ１を形成するために処理される。デバイス１０のユーザは、例えば、ユーザが選択した撮像対象１７から希望するトリミング及び拡大（すなわち、ズーミング）を形成するために、この画像情報ＩＭＡＧＥ１に望ましいズーミングオペレーションを指示することができる。このオペレーションは、例えば、手段／機能１５を使用してデバイス１０のユーザインタフェースを通じて選択される。
ユーザが要求するズーミングオペレーションを実行した状態で、画像ＩＭＡＧＥ１、ＩＭＡＧＥ２は、撮像対象１７の画像から画像データＤＡＴＡ１、ＤＡＴＡ２を形成するために、デバイス１０のカメラ手段１２を使用して取り込まれる（段階２０１．１、２０１．２）。
【００３１】
撮像は、設定された方式で互いに異なる焦点距離を有するレンズ構成Ｆ１、Ｆ２を備えた両方のカメラ要素ＣＡＭ１、ＣＡＭ２を使用して画像を同時に取り込むことによって行われる。第１のレンズ構成Ｆ１の焦点距離係数は、本発明により例えば１であるから、撮像対象１７は、より大きな区域にわたって画像センサ１２．１によって撮像され、第２画像センサ１２．２によって撮像された画像対象と比較される。
第２のレンズ構成Ｆ２の焦点距離係数が例えば３である場合、同じ画像サイズに拡大された撮像対象１７のより小さな区域が、画像センサ１２．２によって取り込まれる。しかし、このより小さな区域の鮮明度は、例えば、センサ１２．１を使用して取り込まれた画像データＤＡＴＡ１から形成された画像情報ＩＭＡＧＥ１と比較した場合、センサ１２．２によって取り込まれた画像区域よりも高い。
【００３２】
一実施形態によると、次の段階２０２．２として、様々な選択された画像処理オペレーションが、少なくとも画像データの第２組ＤＡＴＡ２に対して行われる。この場合、例えば、魚眼効果を取り除くことができる。オペレーション目的の例は、可能な限り自然にかつシームレスに画像データＤＡＴＡ１、ＤＡＴＡ２の組を互いに適合させ、それから他の望ましくない特徴を取り除くことである。
これらの画像処理オペレーションの一部の他の例は、画像データの少なくとも１つの組ＤＡＴＡ２に行われる様々な退色オペレーションと明るさ及び／又は色調調節オペレーションである。更に、画像処理は、全画像区域の代わりに画像区域の一部分だけに行うことができる。
【００３３】
説明している実施形態では、最終画像情報ＩＭＡＧＥは、撮像対象１７から形成され、そのズーム係数は、レンズの組Ｆ１、Ｆ３の固定の例示的なズーム係数（ｘ１、ｘ３）の間である。使用された例は、ｘ２のズーム係数による画像情報ＩＭＡＧＥの形成のものである。この場合、センサ１２．１を使用して取り込まれる画像情報は、デバイス１０のデータ処理手段１１によって領域選択を使用して行うことができる。この場合、ズーム係数２に対応する画像領域は、撮像対象１７からトリミングされる（段階２０２．１）。ズームの望ましい量による画像領域のトリミングは、基本的に画像ＩＭＡＧＥ１のデジタルズーミングに対応する。従って、例えば、オリジナルの画像ＩＭＡＧＥ１のサイズが１２８０＊９６０である場合、ｘ２実施形態にトリミングを適用した後で、そのサイズは６４０＊４８０になる。
【００３４】
段階２０３．１では、画像サイズへのサイズ変更がＩＭＡＧＥ１に対して行われる。画像サイズは、そのオリジナルサイズ、すなわち、ここでは１２８０ｘ９６０に戻される。画像は、ここではデジタルズーミングを使用して拡大されるので、その鮮明度は、対応するオリジナル画像ＩＭＡＧＥ１の鮮明度よりも僅かに劣ることになるが、それにも関わらず全く許容可能なレベルにある。これらのオペレーションの後、画像ＩＭＡＧＥ１によって覆われる画像区域は、破線及び実線の両方で示される移動局１７の部分から構成された画像ＩＭＡＧＥに示されている区域になるように撮像することができる。
【００３５】
第２のカメラ要素１２．２によって取り込まれた、ある意味で「補正画像」として理解することができる第２画像データＤＡＴＡ２に対する可能な画像処理オペレーション（段階２０２．２）の後、望ましいズーミングによる画像情報ＩＭＡＧＥの形成の点で、オペレーションは、そのトリミング及び拡大を設定するためにそれに応じて実行される。これらの画像処理オペレーションの１つの例は、魚眼効果の除去、又は少なくとも魚眼効果の低減である。ここで、様々な「ピンチアルゴリズム」を適用することができる。魚眼効果除去における基本原理は、矩形表示遠近感の形成である。
魚眼効果は、センサ及び／又はレンズの組の「低品質」又はパノラマタイプの一種であるセンサ／レンズ構成の使用のような要因によって画像情報に生じる可能性がある。歪み除去は、画像ＩＭＡＧＥ２に対してそのオリジナルサイズで行われ、それによって画像情報は、可能な限り保護されることになる。
【００３６】
実施形態に従う場合においては、第２画像ＩＭＡＧＥ２の解像度は、低減される可能性がある（すなわち、それから画像情報を破棄する）。これを行う１つの動機は、本方法で画像ＩＭＡＧＥ２が第１画像ＩＭＡＧＥ１の上により良く位置決めされることである（段階２０３．２）。目標画像ＩＭＡＧＥが画像のズーム係数ｘ２を有するので、次にこれに従って、解像度の低減が目標画像ＩＭＡＧＥの画像サイズも考慮に入れて自然に行われる。
【００３７】
続く段階２０４．２では、設定領域選択パラメータ（「領域選択フェザー」及び「アンチエイリアス処理」）を使用して画像領域の選択が行われる。フェザー及びアンチエイリアス処理特性の使用は、画像の「ピクセル状遮蔽」なしに、鮮明であるがある程度色あせた縁部区域を達成する。更に、アンチエイリアス処理特性の使用はまた、「中間ピクセルグラデーション」のある一定の量の使用を可能にし、その一部に対して選択された領域の縁部部分を滑らかにする。これに関して、画像区域の選択に関する様々な方法の応用は、当業技術に精通したものには明らかであろう。例えば、この実施形態の場合、画像ＩＭＡＧＥ２の高さは、５％低減することができ、この場合、高さは、９６０から９１５ピクセルに変更される。これは、４５ピクセルフェザーである。
【００３８】
次に段階２０５では、撮像対象１７のズーミング段階で形成された最終画像情報ＩＭＡＧＥが、第１及び第２のカメラ要素ＣＡＭ１、ＣＡＭ２を使用して形成された画像データの組ＤＡＴＡ１、ＤＡＴＡ２から処理される。
処理中に、画像データの組ＤＡＴＡ１、ＤＡＲＡ２は、設定された方式で互いに結合される。
この結合は、いくつかの異なる方法で行うことができる。最初に、画像データの組ＤＡＴＡ１、ＤＡＴＡ２から形成された画像領域ＩＭＡＧＥ１、ＩＭＡＧＥ２は、望ましいズーミングによる画像情報ＩＭＡＧＥを取得するために計算によって互いに接合することができる。
第２の実施形態によると、画像データの組ＤＡＴＡ１、ＤＡＴＡ２に含まれる画像情報は、望ましいズーミングによる画像情報ＩＭＡＧＥを形成するために計算によって結合することができる。
【００３９】
図３に示されている得られる画像ＩＭＡＧＥでは、画像データの組又は好ましくは画像領域の接合は、第１の実施形態により、実線を使用して描かれた画像ＩＭＡＧＥの縁部区域の移動局１７の部分が第１のカメラ要素１２．１によって生成された画像データの組ＤＡＴＡ１からのものであるような方法で理解することができる。破線で示す画像ＩＭＡＧＥの中心の画像領域は、カメラ要素１２．２によって生成された画像データの組ＤＡＴＡ２からのものである。
出力画像ＩＭＡＧＥの縁部の画像情報の鮮明度は、例えば、画像ＩＭＡＧＥの中心部分の画像情報に比べると、ある程度劣っている。これは、縁部部分の画像情報を形成する場合に、第１の画像ＩＭＡＧＥ１をデジタルで僅かにズーミングすべきであるからである。他方、中心部分の画像領域は僅かに低減され、実際には、画像情報ＩＭＡＧＥ２の鮮明度が失われることはない。
【００４０】
ピクセルデータＤＡＴＡ１、ＤＡＴＡ２結合実施形態を考察すると、その状況は、画像ＩＭＡＧＥの中心の移動局１７の部分、すなわち、破線で示される部分が両方のカメラ要素１２．１、１２．２によって形成された画像データＤＡＴＡ１、ＤＡＴＡ２を含むことができることを除いては、上記と同じである。両方のセンサ１２．１、１２．２のデータの組ＤＡＴＡ１、ＤＡＴＡ２がその形成に対して使用可能であるので、これは、単に中心部分の鮮明度を更に改善する。この結合実施形態はまた、画像ＩＭＡＧＥ１、ＩＭＡＧＥ２のある一定の種類の階層化として理解することができる。
【００４１】
両方のレンズ構成Ｆ１、Ｆ２の固定ズーム係数を超えるより大きなズーミングを行うことが望ましい場合、類似の基本的な原理に従って進行することができる。ズーミングは、より大きなズームでセンサ１２．２によって形成された画像データＤＡＴＡ２に基づくものとすることができ、設定された拡大までデジタルでズームアップされる。望ましいズーミングに応じて第１センサ１２．１からのピクセルデータＤＡＴＡ１は、この拡大に適切に適合させることができる（すなわち、ここでは階層化により）。これは、過度に鮮明度を低減することなくレンズＦ１、Ｆ２の組によって供給された固定係数よりも大きな係数へのズーミングを可能にする。この実施形態に従ってレンズＦ１、Ｆ２の組を使用する場合、５−１０（−１５）まで大きい係数を有するズーミングさえも可能な場合がある。
【００４２】
センサ１２．１、１２．２は、例えば、選択された方向に互いに水平方向に平行に整列しているので、それによって覆われる露出区域の水平方向に僅かな違いが存在する場合がある。画像情報ＩＭＡＧＥ１、ＩＭＡＧＥ２を結合する場合、プログラムに基づく画像認識は、例えば再アラインメントに対する次の必要性に対して適用することができる。例えば、ハンドスキャナから公知の類推を考えることができる。
本発明はまた、カメラ要素ＣＡＭ１に関する。カメラ要素ＣＡＭ１は、少なくとも１つの画像センサ１２．１を含み、それによって画像データＤＡＴＡ１は、撮像対象１７から形成することができる。カメラ要素１２．１は、画像情報ＩＭＡＧＥを形成するために、本発明により、電子デバイス１０に配置されるか又は本方法に適用することができる。
【００４３】
本発明は、光学ズーミングの配置が、例えばカメラ電話又は携帯式マルチメディアデバイスにおけるように困難であるか又はそうでなければ制限されていた撮像デバイスに応用することができる。本発明はまた、パノラマ撮像に応用することができる。連続撮像の場合の応用も可能である。
上述の説明及び関連する図面は、本発明を例証することだけを目的とすることを理解すべきである。本発明は、従って、特許請求の範囲に開示するか又は説明された実施形態だけに全く制限されないが、特許請求の範囲に規定された革新的概念の範囲内で可能である本発明の多くの様々な変形及び適応は、当業技術に精通したものには明らかであろう。
【図面の簡単な説明】
【００４４】
【図１】本発明による電子デバイスの実施例を示す図である。
【図２】本発明による方法の実施例の概略流れ図である。
【図３】本発明による方式での画像データの結合の応用の実施例を示す図である。
【符号の説明】
【００４５】
１０  電子デバイス
１２  カメラ手段
ＣＡＭ１  カメラ要素
ＤＡＴＡ１  画像データ
Ｆ１  第１のレンズ構成
Ｆ２  第２のレンズ構成
【図１】
2008508828.tif 000003
【図２】
2008508828.tif 000004
【図３】
2008508828.tif 000005
【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
撮像対象（１７）から画像データ（ＤＡＴＡ１）形成するための少なくとも１つのカメラ要素（ＣＡＭ１）を含むカメラ手段（１２）と、
前記カメラ手段（１２）に接続して配置された設定焦点距離に従う第１のレンズ構成（Ｆ１）と、
前記撮像対象（１７）のズーミング処理を含む、前記画像データ（ＤＡＴＡ１）を画像情報（ＩＭＡＧＥ）に処理するための手段（１１）と、
を含み、かつ
前記カメラ手段（１２）が、第２のレンズ構成（Ｆ２）を備えた少なくとも第２のカメラ要素（ＣＡＭ２）を更に含み、その焦点距離が、確立された方式で前記第１のレンズ構成（Ｆ１）の焦点距離とは異なっている、
電子デバイス（１０）であって、
第１及び第２のカメラ要素（ＣＡＭ１、ＣＡＭ２）によって同時に形成された画像データの組（ＤＡＴＡ１、ＤＡＴＡ２）から、撮像対象（１７）の望ましいズーミングによる画像情報（ＩＭＡＧＥ）が、データ処理手段（１１）を使用することによって処理されるように準備される、
ことを特徴とするデバイス。
【請求項２】
前記データ処理手段（１１）は、前記望ましいズーミングによる前記画像情報（ＩＭＡＧＥ）を形成するために、前記画像データの組（ＤＡＴＡ１、ＤＡＴＡ２）によって形成された画像区域を結合するように配置されていることを特徴とする請求項１に記載の電子デバイス（１０）。
【請求項３】
前記データ処理手段（１１）は、前記望ましいズーミングによる画像情報（ＩＭＡＧＥ）を形成するために、前記画像データの組（ＤＡＴＡ１、ＤＡＴＡ２）に含まれたピクセル情報を結合するように配置されていることを特徴とする請求項１又は請求項２に記載の電子デバイス（１０）。
【請求項４】
前記第１のレンズ構成（Ｆ１）の焦点距離係数は、例えば、０、１−３、好ましくは、例えば１のような１−３であり、
前記第２のレンズ構成（Ｆ２）の焦点距離係数は、例えば、１−１０、好ましくは、例えば３のような２−５である、
ことを特徴とする請求項１から請求項３のいずれか１項に記載の電子デバイス（１０）。
【請求項５】
少なくとも前記第２のレンズ構成（Ｆ２）の前記焦点距離係数は、固定されていることを特徴とする請求項１から請求項４のいずれか１項に記載の電子デバイス（１０）。
【請求項６】
前記データ処理手段（１１）は、少なくとも第２の組の画像データ（ＤＡＴＡ２）に対して、例えば、サイズを調節すること、退色オペレーション、及び／又は、明るさ及び／又は色調の調節のような設定処理オペレーションを実行するために配置されていることを特徴とする請求項１から請求項５のいずれか１項に記載の電子デバイス（１０）。
【請求項７】
前記データ処理手段（１１）は、少なくとも第２の組の画像データ（ＤＡＴＡ２）に対して歪み補正を行うために配置されていることを特徴とする請求項１から請求項６のいずれか１項に記載の電子デバイス（１０）。
【請求項８】
設定焦点距離を有する第１のレンズ構成（Ｆ１）を備えた少なくとも１つのカメラ要素（ＣＡＭ１）を含むカメラ手段（１２）を使用して、撮像対象（１７）の画像データ（ＤＡＴＡ１）を形成するために撮像を実行し（段階２０１．１）、
前記形成された画像データ（ＤＡＴＡ１）が、前記撮像対象（１７）をズーミングするために処理される（段階２０２．１、２０３．１）、
画像データ（ＤＡＴＡ１、ＤＡＴＡ２）から画像情報（ＩＭＡＧＥ）を形成する方法であって、
第１のレンズ構成（Ｆ１）を備えたカメラ要素（ＣＡＭ１）による同時撮像が、更に少なくとも第２のカメラ要素（ＣＡＭ２）を使用して行われ、それに接続したレンズ構成（Ｆ２）の焦点距離は、第１のレンズ構成（Ｆ１）の焦点距離とは設定された方式で異なっており（段階２０１．１）、望ましいズーミングによる画像情報（ＩＭＡＧＥ）が、第１及び第２のカメラ要素（ＣＡＭ１、ＣＡＭ２）を使用して同時に形成された画像データの組（ＤＡＴＡ１、ＤＡＴＡ２）から処理される（段階２０５）、
ことを特徴とする方法。
【請求項９】
前記画像データの組（ＤＡＴＡ１、ＤＡＴＡ２）は、互いに結合される（段階２０５）ことを特徴とする請求項８に記載の方法。
【請求項１０】
前記画像データの組（ＤＡＴＡ１、ＤＡＴＡ２）によって形成された画像区域は、互いに結合されて前記望ましいズーミングによる画像情報（ＩＭＡＧＥ）を形成することを特徴とする請求項８又は請求項９に記載の方法。
【請求項１１】
前記画像データの組（ＤＡＴＡ１、ＤＡＴＡ２）に含まれたピクセル情報は、結合されて前記望ましいズーミングによる画像情報（ＩＭＡＧＥ）を形成することを特徴とする請求項８から請求項１０のいずれか１項に記載の方法。
【請求項１２】
前記撮像は、レンズ構成（Ｆ１、Ｆ２）を通して実行され、このレンズ構成の一方（Ｆ１）の焦点距離係数は、例えば、０、１−５、好ましくは、例えば１のような１−３であり、このレンズ構成の他方（Ｆ２）の焦点距離係数は、例えば、１−１０、好ましくは、例えば３のような２−５であることを特徴とする請求項８から請求項１１のいずれか１項に記載の方法。
【請求項１３】
退色オペレーションが、少なくとも第２の組の画像データ（ＤＡＴＡ２）に対して行われる（段階２０５）ことを特徴とする請求項８から請求項１２のいずれか１項に記載の方法。
【請求項１４】
明るさ及び／又は色調調節が、少なくとも第２の組の画像データ（ＤＡＴＡ２）に対して行われる（段階２０５）ことを特徴とする請求項８から請求項１３のいずれか１項に記載の方法。
【請求項１５】
歪み補正が、少なくとも第２の組の画像データ（ＤＡＴＡ２）に対して行われる（段階２０２．２）ことを特徴とする請求項８から請求項１４のいずれか１項に記載の方法。
【請求項１６】
記憶媒体（ＭＥＭ、１１）と、少なくとも１つのカメラ要素（ＣＡＭ１）を使用して生成された画像データ（ＤＡＴＡ１、ＤＡＴＡ２）を処理するための該記憶媒体（ＭＥＭ、１１）上に書き込まれたプログラムコードとを含み、該画像データ（ＤＡＴＡ１、ＤＡＴＡ２）が、画像情報（ＩＭＡＧＥ）を形成するために処理されるように準備されており、該処理が、撮像対象（１７）のズーミングを含む、画像データ（ＤＡＴＡ１、ＤＡＴＡ２）を処理するためのプログラム製品（３０）であって、
プログラムコードが、異なる焦点距離を有する２つのカメラ要素（ＣＡＭ１、ＣＡＭ２）を使用して同時に形成された２組の画像データ（ＤＡＴＡ１、ＤＡＴＡ２）を設定された方式で互いに結合するように構成された第１のコード手段（３０．１）を含む、
ことを特徴とする製品。
【請求項１７】
前記プログラムコードは、前記画像データの組（ＤＡＴＡ１、ＤＡＴＡ２）によって形成された画像区域を結合して前記望ましいズーミングによる画像情報（ＩＭＡＧＥ）を形成するように構成されたコード手段（３０．１’、３０．２）を含むことを特徴とする請求項１６に記載のプログラム製品（３０）。
【請求項１８】
前記プログラムコードは、前記画像データの組（ＤＡＴＡ１、ＤＡＴＡ２）に含まれたピクセル情報を結合して前記望ましいズーミングによる画像情報（ＩＭＡＧＥ）を形成するように構成されたコード手段（３０．１’’、３０．２）を含むことを特徴とする請求項１６に記載のプログラム製品（３０）。
【請求項１９】
前記プログラム製品（３０）は、少なくとも第２の組の画像データ（ＤＡＴＡ２）をその画像区域の少なくとも一部でそれを強めるために処理するように構成された第２のコード手段（３０．３）を更に含み、該処理は、例えば、退色処理、及び／又は、明るさ及び／又は色調の調節を含むことを特徴とする請求項１６から請求項１８のいずれか１項に記載のプログラム製品（３０）。
【請求項２０】
前記プログラム製品（３０）は、歪みを補正するために少なくとも第２の組の画像データ（ＤＡＴＡ２）を処理するように構成された第３のコード手段（３０．３）を更に含むことを特徴とする請求項１６から請求項１９のいずれか１項に記載のプログラム製品（３０）。
【請求項２１】
少なくとも１つの画像センサ（１２．１）を含み、それによって画像データ（ＤＡＴＡ１）が撮像対象（１７）から形成されるように準備されるカメラ要素（ＣＡＭ１）であって、
カメラ要素（ＣＡＭ１）が、請求項１から請求項７のいずれか１項に記載の電子デバイス（１０）において、又は請求項８から請求項１５のいずれか１項に記載の方法の下位段階（２０１−２０５）において使用されるように配置されている、
ことを特徴とするカメラ要素。
【国際調査報告】
2008508828.tif 000006
2008508828.tif 000007
2008508828.tif 000008